(57)【特許請求の範囲】
【請求項１】
室内の空気を吸い込み除湿ローターを通して除湿した後、再び前記室内に吹き出す循環風路と、
装置外の再生用空気吸込口から吸い込んだ空気を再生ヒーターで加熱して前記除湿ローターに吹き付け、除湿ローターを通過した後の空気を装置外へ排出する再生風路と
を備えた屋内用除湿装置において、
前記再生用空気吸込口を複数の室に設けるとともに、
該再生用空気吸込口近傍もしくは除湿ローターの上流側の前記再生風路内に、湿度センサーおよび／または温度センサーを配設し、
該センサーの検出値に基づいて、前記再生用空気吸込口を選択して開ける切替手段を設けた
ことを特徴とする屋内用除湿装置。
【請求項２】
前記再生用空気吸込口から吸い込んだ空気の温度によって前記再生ヒーターの出力を調整するように構成したことを特徴とする請求項１に記載の屋内用除湿装置。
【請求項３】
前記再生ヒーター通過後の空気の全て又は一部を該再生ヒーターの上流に戻す再生風循環風路を設けたことを特徴とする請求項１または請求項２に記載の屋内用除湿装置。
【発明の詳細な説明】
【技術分野】
【０００１】
本発明は、屋内用の除湿装置に関するものである。
【背景技術】
【０００２】
従来、この種の除湿装置として、特許文献１に開示されているような除湿乾燥装置がある。
この除湿乾燥装置では、浴室の空気を吸い込み、除湿ローターを通して除湿した後、再び浴室に戻す循環風路と、浴室や外気等から取り入れた空気を再生ヒーターに通過させて除湿ローターに吹き付け、除湿ローターを再生させた後の空気を屋外に排出する再生風路とを備えたものとなっている。
【先行技術文献】
【特許文献】
【０００３】
【特許文献１】特許第３１５２５８５号公報
【発明の概要】
【発明が解決しようとする課題】
【０００４】
上記特許文献１に開示されている除湿乾燥装置では、浴室や外気から再生空気を取り込むため、浴室や外気の温度が低い場合や湿度が高い場合、再生効率が悪く、除湿乾燥時間が長くなり、ランニングコストが増大してしまうという問題点があった。
【課題を解決するための手段】
【０００５】
本発明は、除湿乾燥時間を低減させ、ランニングコストを低減させて、高効率で運転できる屋内用除湿装置の提供を目的とし、この目的の少なくとも一部を達成するために以下の手段を採った。
本発明は、室内の空気を吸い込み除湿ローターを通して除湿した後、再び前記室内に吹き出す循環風路と、
装置外の再生用空気吸込口から吸い込んだ空気を再生ヒーターで加熱して前記除湿ローターに吹き付け、除湿ローターを通過した後の空気を装置外へ排出する再生風路と
を備えた屋内用除湿装置において、
前記再生用空気吸込口を複数の室に設けるとともに、
該再生用空気吸込口近傍もしくは除湿ローターの上流側の前記再生風路内に、湿度センサーおよび／または温度センサーを配設し、
該センサーの検出値に基づいて、前記再生用空気吸込口を選択して開ける切替手段を設けたことを要旨とする。
【発明の効果】
【０００６】
本発明の屋内用除湿装置では、湿度センサーおよび／または温度センサーで検知した、除湿ローターを再生させるのに最も適した空気を有する室から再生用空気を吸い込むことができるため、再生ヒーターに投入するエネルギーが小さくなり、高効率で室内を除湿することができるものとなり、除湿乾燥時間を短くでき、ランニングコストを低減させて、高効率で運転できるものとなる。
【０００７】
また、本発明の屋内用除湿装置において、前記再生用空気吸込口から吸い込んだ空気の温度によって前記再生ヒーターの出力を調整するように構成することもできる。
こうすれば、再生用空気吸込口から再生風路内へ吸い込んだ空気の温度が高い時には、再生ヒーターに投入するエネルギーを小さくでき、消費電力を少なくすることができる。
【０００８】
また、本発明の屋内用除湿装置において、前記再生ヒーター通過後の空気の全て又は一部を該再生ヒーターの上流に戻す再生風循環風路を設けて構成することもできる。
こうすれば、再生用空気の条件によっては、ヒーターを一度通過しただけでは除湿ローター中の水分を十分に再生できない場合があるため、再生ヒーター通過後の空気の全てか空気の一部を再生ヒーターに戻すことで空気の温度を効率的に上昇させ、除湿ローターの再生を十分に行えるものとなる。
【図面の簡単な説明】
【０００９】
【図１】除湿装置を設けた浴室と他の室との配管構成図である。
【図２】除湿装置の内部構造の概略構成図である。
【図３】湿度センサーの配置位置を変更した除湿装置の内部構造を示す概略構成図である。
【図４】送風風路を設けた除湿装置の内部構造の概略構成図である。
【図５】図４の除湿装置の除湿運転状態の構成図である。
【図６】除湿装置の変更例の内部概略構成図である。
【図７】図６の除湿装置の再生風循環風路を閉じた運転状態の構成図である。
【発明を実施するための形態】
【００１０】
次に、本発明を実施するための形態を実施例を用いて説明する。
図１は、除湿装置を設けた浴室と他の室との配管構成図であり、図１では、浴槽１ａを備えた浴室１の天井に除湿装置２が設置され、洗面台３ａを備えた洗面室３と、便器４ａを備えたトイレ４のそれぞれの天井に再生用空気吸込口７ａ，７ｂを設けて、この再生用空気吸込口７ａ，７ｂと除湿装置２を取入管５で連通接続したものである。
なお、除湿装置２の下面には、吸込口２ａと吹出口２ｂが形成されており、また、除湿装置２には排出管６が接続されている。
【００１１】
除湿装置２の内部構造を図２の概略図で示す。
除湿装置２内には、循環風路８と再生風路１１が別個に設けられており、循環風路８内には、ハニカム構造の除湿ローター１０と循環ファン９が設けられて、循環ファン９の回転により、吸込口２ａから浴室１内の空気を吸い込んで、除湿ローター１０を通過させることで、空気中の水分を除湿ローター１０で吸着し、乾燥した空気として吹出口２ｂから浴室１内に戻すことができるものである。
【００１２】
また、再生風路１１内には、除湿ローター１０の一部が配置されており、除湿ローター１０の上流側に再生ヒーター１３が設けられ、更にその上流側に小型の再生ファン１２が設けられており、再生ファン１２の回転により、空気を再生風路１１内に吸い込んで、再生ヒーター１３で空気を加熱し、加熱した空気を除湿ローター１０に吹き付けることで除湿ローター中の水分を脱離させ、水蒸気を含んだ空気を排出管６を通し、屋外に連通した再生用空気吹出口６ａから排出することができるものである。
【００１３】
本例では、再生風路１１の上流端に切替ダンパー１４が設けられており、切替ダンパー１４から分岐して取入管５ａ，５ｂが配管されており、取入管５ａの先端は、前述した洗面室３に開口された再生用空気吸込口７ａとなっており、一方の取入管５ｂの先端は、トイレ４に開口された再生用空気吸込口７ｂとなっている。
なお、再生用空気吸込口７ａの近傍には湿度センサー１５ａが設けられており、また、再生用空気吸込口７ｂの近傍には湿度センサー１５ｂが設けられている。
【００１４】
本例の除湿装置２では、除湿運転時に、再生風路１１内に取り入れる空気を、洗面室３あるいはトイレ４の何れか側から選択して取り入れることができるものである。
即ち、湿度センサー１５ａと湿度センサー１５ｂの検知信号が図示しない制御部に送信されると、制御部では、湿度センサー１５ａと湿度センサー１５ｂの検出値を比較して、湿度の低い側の再生用空気吸込口を開けるように切替ダンパー１４に切替信号を送出する。
【００１５】
図２では、洗面室３の湿度がトイレ４の湿度よりも低い場合であり、切替ダンパー１４は再生用空気吸込口７ａ側を開けるように切り替えられて、再生用空気吸込口７ａから洗面室３内の湿度の低い空気が取入管５ａを通り再生風路１１内に吸い込まれる。
従って、再生風路１１内に吸い込まれた空気は湿度が低いので、除湿ローター１０を効率良く再生させることができるため、浴室１内の除湿乾燥時間を短くすることもでき、効率良く浴室１を除湿することができるものとなる。
【００１６】
なお、湿度センサー１５ａと湿度センサー１５ｂの検知信号を比較して、湿度センサー１５ｂ側の湿度が低いと判断された場合には、トイレ４側の再生用空気吸込口７ｂが切替ダンパー１４の切り替えにより開かれて、トイレ４内の空気が再生風路１１内に吸い込まれることとなる。
【００１７】
なお、図３は変更例を示すものであり、図３では、１個の湿度センサー１５ｃを、切替ダンパー１４と再生ファン１２間の再生風路１１に設けたものである。
この図３では、１個の湿度センサー１５ｃの検出値により切替ダンパー１４を切替制御するものである。
即ち、切替ダンパー１４を制御して、再生用空気吸込口７ａ側を開いた時に吸い込まれる空気の湿度を湿度センサー１５ｃで検知するとともに、切替ダンパー１４を再生用空気吸込口７ｂ側に開けた時に吸い込まれる空気の湿度を湿度センサー１５ｃで検知して、再生用空気吸込口７ａ側を開いた時の湿度と再生用空気吸込口７ｂ側を開いた時の湿度とを比較し、湿度が低い側の再生用空気吸込口７ａあるいは再生用空気吸込口７ｂを継続して開けるように制御するものである。
従って図３の除湿装置２においても、湿度の低い部屋から空気を吸い込んで、効率良く除湿ローター１１を再生させて、ランニングコストを低減させて除湿運転ができるものである。
【００１８】
次に、図４に示す除湿装置２では、循環風路８内の除湿ローター１０と循環ファン９間に切替ダンパー１６を設け、この切替ダンパー１６に除湿ローター１０を迂回するように送風風路１９を設けたものであり、送風風路１９の上流端は吸込口２ａに連通されている。
また、図４では、循環風路８内に更に切替ダンパー１７を設けて、この切替ダンパー１７に換気風路１８を接続したものである。その他の構成は、図３のものと同様である。
【００１９】
この図４の除湿装置２では、送風運転をする場合には、切替ダンパー１６を送風風路１９側が開くように切り替え、循環ファン９の回転により、吸込口２ａから浴室１内の空気を送風風路１９内に吸い込み、循環風路８を通して吹出口２ｂから浴室１内に送風するものであり、また、換気運転時には、更に切替ダンパー１７を換気風路１８側が開くように切り替えて、送風風路１９を通し吸い込んだ浴室１内の空気を換気風路１８を通して屋外へ排出することができるものである。
【００２０】
このように送風あるいは換気運転時には、送風風路１９を通り空気が吸い込まれ、空気は除湿ローター１０を通らないために、圧力損失が生じなくなり、循環ファン９の能力を最大限に利用して効率良く送風あるいは換気を行うことができるものとなり、騒音の発生も少ないものとなる。
【００２１】
なお、このような送風風路１９を設けた除湿装置２において除湿運転を行う際には、図５に示すように、切替ダンパー１６は送風風路１９を閉じる側に切り替えられ、また、切替ダンパー１７は換気風路１８を閉じる側に切り替えられる。
この除湿運転時には、前述した如く、除湿ローター１０を通って浴室１内の空気が循環風路８内に吸い込まれて、除湿ローター１０で除湿されて、再び浴室１内に戻されるものであり、また、湿度センサー１５ｃの検知信号で切替ダンパー１４が制御されて、湿度の低い側の室の再生用空気吸込口７ａが開かれて、湿度の低い空気が再生風路１１内に吸い込まれて、効率良く除湿ローター１０を再生することができるものである。
【００２２】
なお、上記各実施例では、取入管５ａ，５ｂを２本設けた場合を例示しているが、取入管は３本，４本であっても良く、洗面室３，トイレ４の他に、他の室に開口する再生用空気吸込口を設けて、複数の室のうち最も湿度の低い室を選択して、再生風路１１内に空気を取り入れるように構成しても良い。
【００２３】
更に上記各実施例では、湿度センサー１５ａ，１５ｂ，１５ｃを設けて、吸い込まれる空気の湿度を検出して制御しているが、湿度センサー１５ａ，１５ｂ，１５ｃに代えて、空気の温度を検出する温度センサーで構成しても良い。
温度センサーを設けた場合には、最も温度の高い室の空気を再生風路１１内に取り入れるように制御することができ、除湿ローター１０を効率良く再生できるものとなる。
【００２４】
なお、更に、湿度センサーと温度センサーの両方を設けて、温度に対する飽和水蒸気量から絶対湿度を求めて、絶対湿度により切替ダンパー１４の切替制御を行うように構成することもできる。若しくは、直接絶対湿度を検出するセンサーを設けても良い。
湿度センサーと温度センサーの両方を設けた場合、若しくは、絶対湿度を検出するセンサーを設けた場合には、多少低温であっても絶対湿度の低い空気を優先するなど、より適した空気を選択することが可能となる。
【００２５】
なお、図６および図７は、図２に示した除湿装置の変更例である。即ち、図６は除湿装置の変更例の内部概略構成図であり、図７は、図６の除湿装置の再生風循環風路を閉じた運転状態の構成図である。
図６において、再生用空気吸込口７ａの近傍には、吸い込んだ空気の温度を検出する温度センサー２３ａが設けられ、また、再生用空気吸込口７ｂの近傍には、吸い込んだ空気の温度を検出する温度センサー２３ｂが設けられて、空気の温度により切替ダンパー１４の切替制御を行うように構成され、最も温度の高い室の空気を再生風路１１内に取り入れることができるように構成されている。
【００２６】
また、本例では、再生風路１１内の一部に、除湿ローター１０と再生ヒーター１３を迂回するように縦方向に再生風循環風路２２が連通状に形成されており、この再生風循環風路２２内を通して、再生ヒーター１３を通過した後の空気を、再び、再生ヒーター１３の上流側に戻すことができるように構成されている。
この再生風循環風路２２の下端の入口側、即ち除湿ローター１０の下流側には、切替ダンパー２０が設けられており、この切替ダンパー２０は、除湿ローター１０を通過した後の空気の全部または一部を、図６のように再生風循環風路２２側に流したり、逆に図７のように再生風循環風路２２側を閉じて、除湿ローター１０を通過した水蒸気を含んだ空気を排出管６側に排出するように切り替えられるものである。
【００２７】
切替ダンパー２０の近傍には湿度センサー２１が設けられており、この湿度センサー２１により、除湿ローター１０を通過した後の空気の湿度を検出できるように構成されている。
その他の構成は、図２のものと同様であり、同一部材については同一符号を付してその説明を省略する。
【００２８】
本例においては、温度センサー２３ａ，２３ｂにより、高温側の室の空気を選択して再生風路１１内に吸い込むことができるが、吸い込んだ空気の温度が高い場合には、再生ヒーター１３の出力を調整して、再生ヒーター１３に投入するエネルギーを小さくするように制御することができるように構成されている。
【００２９】
また、除湿ローター１０を通過した空気の湿度が高い状態となっていない場合、即ち、多量の水蒸気が含まれていないような場合に、湿度センサー２１の検出信号により、切替ダンパー２０が図６のように再生風循環風路２２側に大きく開かれて、除湿ローター１０を通過した後の空気が、切替ダンパー２０を介して再生風循環風路２２内に流入され、再生風循環風路２２の出口側、即ち再生ヒーター１３の上流側に戻されて、再び再生ヒーター１３により空気は加熱されることで、空気の温度が効率的に上昇し、除湿ローター１０を十分に再生させることができるものとなる。
【００３０】
なお、再生風路１１内に吸い込まれる空気が低温である場合にも、温度センサー２３ａ，２３ｂの検出信号により、図６のように切替ダンパー２０を再生風循環風路２２側に開けて、除湿ローター１０を通過した後の空気を、切替ダンパー２０を介して再生風循環風路２２内に流入させ、再生ヒーター１３の上流側に戻して、再び再生ヒーター１３により空気の温度を効率的に上昇させることができるものである。
なお、湿度センサー２１により高い湿度が検出されて、除湿ローター１０が十分に再生されていると判断した場合には、図７のように切替ダンパー２０を切り替え、再生風循環風路２２を閉じて運転することができる。
【符号の説明】
【００３１】
１  浴室
２  除湿装置
２ａ  吸込口
２ｂ  吹出口
３  洗面室
４  トイレ
５ａ，５ｂ  取入管
６  排出管
７ａ，７ｂ  再生用空気吸込口
８  循環風路
９  循環ファン
１０  除湿ローター
１１  再生風路
１２  再生ファン
１３  再生ヒーター
１４，１６，１７，２０  切替ダンパー
１５ａ，１５ｂ，１５ｃ，２１  湿度センサー
１８  換気風路
１９  送風風路
２２  再生風循環風路
２３ａ，２３ｂ  温度センサー
【図１】
0005637829.tif 000002
【図２】
0005637829.tif 000003
【図３】
0005637829.tif 000004
【図４】
0005637829.tif 000005
【図５】
0005637829.tif 000006
【図６】
0005637829.tif 000007
【図７】
0005637829.tif 000008